(57)【特許請求の範囲】
【請求項１】
エレベータのかごの着床位置を制御する制御方法を旧制御方法から新制御方法に移行する際に行うエレベータの新旧制御装置の交換方法であって、
旧制御方法には、旧制御盤と、前記かごに取り付けられた旧着床検出装置と、前記エレベータの昇降路のガイドレールに固定された取り付けアームに対して第１の取り付け手段で固定された旧遮へい板と、が用いられ、
新制御方法には、新制御盤と、前記かごに取り付けられる新着床検出装置と、前記取り付けアームに対して第１の取り付け手段で固定される新遮へい板と、が用いられており、
前記旧制御方法から前記新制御方法に移行する際に、
前記第１の取り付け手段による固定を開放して前記旧遮へい板を取り外し、前記新遮へい板と該新遮へい板に対して前記第１の取り付け手段とは異なる第２の取り付け手段により脱着可能に取り付けられたアタッチメント遮へい板とよりなるモダニゼーション用遮へい板を、前記旧制御方法に対応するよう位置調整して前記第１の取り付け手段により前記取り付けアームに固定することで、継続して旧制御方式でのエレベータ運転に供する第１段階と、
当該第１段階の後に、
前記旧制御盤を前記新制御盤に交換する一方、前記かごに取付けられている旧着床検出装置を新着床検出装置に交換すると共に、前記第２の取り付け手段による取り付けを開放して前記モダニゼーション用遮へい板から前記アタッチメント遮へい板のみを取り外して前記新遮へい板により新制御方式でのエレベータ運転に供する第２段階と、を有することを特徴とするエレベータの新旧制御装置の交換方法。
【請求項２】
エレベータのかごの着床位置を制御する新制御方式に対応した形状に形成され、ガイドレールに取り付けられた取り付けアームに対して第１の取り付け手段で固定される新遮へい板と、
前記新遮へい板に対し、前記第１の取り付け手段とは異なる第２の取り付け手段で脱着可能に取り付けられたアタッチメント用遮へい板と、より成り、
前記アタッチメント用遮へい板は、前記新遮へい板が前記取り付けアームに前記第１の取り付け手段で固定された状態において、前記かごの着床位置を制御する旧制御方式に対応可能な形状に形成されているモダニゼーション用遮へい板。
【発明の詳細な説明】
【０００１】
【発明の属する技術分野】
本発明はエレベータの新旧制御装置の交換方法及びそれに用いるモダニゼーション用遮へい板に関する。
【０００２】
【従来の技術】
エレベータの制御技術の向上に伴い、既設のエレベータの制御方式を最新のものにすべく、制御装置を新旧交換する作業が盛んに行われるようになってきている。
【０００３】
旧制御方式のエレベータ制御装置において、各停止階にエレベータが到達したことを検出するためにエレベータ昇降路の停止階各々の位置には、図４に示すようにガイドレール１に固定金具２で固定された取付けアーム３に対して着床検出用旧遮へい板４がボルト・ナット５によって取付けられている。またかご６の取付け台７には、図５に示すように旧制御方式で採用されている旧着床検出装置８が取付けられている。また図示しない上階のエレベータ機械室には旧制御方式の制御盤が設置されている。
【０００４】
そこで、従来、このような旧制御方式のエレベータ制御装置を新制御方式のエレベータ制御装置に交換する場合、既設の制御方式での着床検出タイミングと新設の制御方式での着床検出タイミングとが異なるために、制御盤と着床検出装置と遮へい板をすべて交換し終えなければエレベータを運転することができず、そのため、エレベータ運転を完全に停止して、エレベータ昇降路内の各停止階位置の着床検出用遮へい板４を図６に示すような新制御方式に対応した着床検出用新遮へい板４０に交換し、またかご６上の旧方式の着床検出装置８を取付け台７と共に図３に示すように新制御方式の着床検出装置８０及び取付け台７０に交換し、さらにエレベータ機械室の旧制御方式の制御盤を新制御方式の制御盤に交換する作業を行なっていた。
【０００５】
【発明が解決しようとする課題】
このように、従来のエレベータの新旧制御方式の交換方法では、旧制御方式の着床検出用遮へい板、着床検出装置そして制御盤をすべて新制御方式のものに交換してしまうまではエレベータの運転を停止させておかなければならず、特にエレベータ昇降路側に設置される着床検出用遮へい板は停止階各々について交換して調整する必要があり、長期間のエレベータ停止が必要であり、利用者に不便をかける問題点があった。
【０００６】
本発明はこのような従来の問題点に鑑みてなされたもので、エレベータ制御方式の交換作業をエレベータ昇降路の着床検出用遮へい板のみを交換する第１段階の作業と、制御盤及び着床検出装置を交換する第２段階の作業とに分け、交換工事が完了していなくても第１段階と第２段階との間の期間は旧制御方式でエレベータの運行ができるようにし、部品調達、要員配置、行程管理に自由度を持たせることができるエレベータの新旧制御装置の交換方法及びそれに用いるモダニゼーション用遮へい板を提供することを目的とする。
【０００７】
【課題を解決するための手段】
請求項１の発明に係るエレベータの新旧制御装置の交換方法は、エレベータのかごの着床位置を制御する制御方法を旧制御方法から新制御方法に移行する際に行うエレベータの新旧制御装置の交換方法であって、旧制御方法には、旧制御盤と、前記かごに取り付けられた旧着床検出装置と、前記エレベータの昇降路のガイドレールに固定された取り付けアームに対して第１の取り付け手段で固定された旧遮へい板と、が用いられ、新制御方法には、新制御盤と、前記かごに取り付けられる新着床検出装置と、前記取り付けアームに対して第１の取り付け手段で固定される新遮へい板と、が用いられており、前記旧制御方法から前記新制御方法に移行する際に、前記第１の取り付け手段による固定を開放して前記旧遮へい板を取り外し、前記新遮へい板と該新遮へい板に対して前記第１の取り付け手段とは異なる第２の取り付け手段により脱着可能に取り付けられたアタッチメント遮へい板とよりなるモダニゼーション用遮へい板を、前記旧制御方法に対応するよう位置調整して前記第１の取り付け手段により前記取り付けアームに固定することで、継続して旧制御方式でのエレベータ運転に供する第１段階と、当該第１段階の後に、前記旧制御盤を前記新制御盤に交換する一方、前記かごに取付けられている旧着床検出装置を新着床検出装置に交換すると共に、前記第２の取り付け手段による取り付けを開放して前記モダニゼーション用遮へい板から前記アタッチメント遮へい板のみを取り外して前記新遮へい板により新制御方式でのエレベータ運転に供する第２段階と、を有するものである。
【０００８】
請求項２の発明に係るモダニゼーション用遮へい板は、エレベータのかごの着床位置を制御する新制御方式に対応した形状に形成され、ガイドレールに取り付けられた取り付けアームに対して第１の取り付け手段で固定される新遮へい板と、前記新遮へい板に対し、前記第１の取り付け手段とは異なる第２の取り付け手段で脱着可能に取り付けられたアタッチメント用遮へい板と、より成り、前記アタッチメント用遮へい板は、前記新遮へい板が前記取り付けアームに前記第１の取り付け手段で固定された状態において、前記かごの着床位置を制御する旧制御方式に対応可能な形状に形成されているものである。
【０００９】
この請求項２の発明のモダニゼーション用遮へい板では、請求項１の発明のエレベータの新旧制御装置の交換方法において、旧制御方式で使用されていた着床検出用旧遮へい板を取付けアームから取外し、代わりに本発明のモダニゼーション用遮へい板を同じ取付けアームに取付けることにより、これに脱着可能に取付けられているアタッチメント用遮へい板を旧制御方式の着床検出用旧遮へい板として利用して、旧制御方式のエレベータ運転をその後も継続することができる。
【００１０】
したがって、旧遮へい板のモダニゼーション用遮へい板への交換作業さえ完了すれば、その後、制御盤とかごの着床検出装置との新旧交換作業を始めるまでの間は必要に応じてエレベータを旧制御方式で継続して運転することができ、この期間だけ部品調達、要員配置、行程管理に自由度を持たせることができる。
【００１１】
【発明の実施の形態】
以下、本発明の実施の形態を図に基づいて詳説する。図１は本発明のモダニゼーション用遮へい板４００のガイドレール１への取付け状態を示し、図２は分解状態を示している。この実施の形態のモダニゼーション用遮へい板４００は、新制御方式に対応した着床検出用新遮へい板４１とこれに対して補助ボルト・ナット４２によって脱着可能に取付けられたアタッチメント用遮へい板４３から構成されている。
【００１２】
アタッチメント用遮へい板４３は、図６に示した従来の着床検出用旧遮へい板４と同様に旧制御方式の着床検出作用をするものであるが、取付けアーム３に対して当該モダニゼーション用遮へい板４００を固定用ボルト・ナット５で固定した状態でも補助ボルト・ナット４２を緩めることによって当該アタッチメント用遮へい板４３のみが取外せるように切欠部４４を形成し、固定用ボルト・ナット５の締着けがきかないようにしてある。
【００１３】
次に、上記の構成のモダニゼーション用遮へい板４００を用いて行う本発明のエレベータの新旧制御装置の交換方法について説明する。
【００１４】
＜第１段階＞
図４に示すように旧制御方式での運用のために、エレベータ着床階それぞれの位置に対応して、エレベータ昇降路のガイドレール１に取付け金具２で固定されている取付けアーム３に着床検出用旧遮へい板４が取付けられているので、固定用ボルト・ナット５を緩めてこの旧遮へい板４をすべて取外して、図１に示すようにモダニゼーション用遮へい板４００に交換する。この階床での着床用遮へい板の交換時には、アタッチメント用遮へい板４３がちょうど旧遮へい板４に対応する位置になるように調整しながら交換作業を行う。
【００１５】
こうして第１段階の遮へい板の交換作業が完了した状態では、かご６には図５に示す旧制御方式の着床検出装置７が取付けられたままであり、図示していないエレベータ機械室の制御盤も旧制御方式のものであるので、後述する第２段階の交換作業に入るまでは、引続き、旧制御方式でエレベータの運転を再開することができる。したがって、何らかの理由（例えば、次の休祝日まで作業を中断したり、作業要員の確保に日にちがかかるといった理由が考えられる）で作業を中断する必要があっても、その中断期間中、旧制御方式のままエレベータ運行を継続することができることになる。
【００１６】
＜第２段階＞
第２段階では、エレベータ機械室に設置されている旧制御盤を新制御方式の制御盤に交換する。そして図２に示したように、エレベータ昇降路において、各停止階に設置されているモダニゼーション用遮へい板４００すべてに対して、補助ボルト・ナット４２を緩めてアタッチメント用遮へい板４３を取外し、新制御方式に対応した新遮へい板４１のみを残す。この作業時には、ガイドレール１に対して取付けアーム３を動かす必要はない。
【００１７】
また図５に示したような旧制御方式の着床検出装置７を取付け台８と共にかご６から取外し、図３に示すように新制御方式の着床検出装置７０を取付け台８０によってかご６に取付ける。この際にも、新遮へい板４１の取付け位置の調整を必要とせず、着床検出装置７０側だけ、取付け位置の調整を行う。
【００１８】
以上によって２段階に分けて新旧制御方式の違うエレベータ制御装置の交換作業が完了することになる。この交換作業では、上述したように旧遮へい板と同様の働きをするアタッチメント用遮へい板４３が取付けられているモダニゼーション用遮へい板４００を採用して、旧制御方式の着床用旧遮へい板４と交換する作業を第１段階にしているので、この第１段階の作業の後にはエレベータの旧制御方式による運転を継続することができて利用者に不便をかけることがなく、できるだけ短期間ですべての作業を完了しなければならないという従来の日程管理に対して交換工事の日程に自由度を持たせることができることになる。
【００１９】
なお、上記の実施の形態では、モダニゼーション用遮へい板４００においてアタッチメント用遮へい板４３の新遮へい板４１への脱着可能な取付け手段に補助ボルト・ナットを採用したが、これに限定されることはなく、蝶ナットを用いたり、爪掛け方式を用いることもできる。
【００２０】
【発明の効果】
以上のように請求項１の発明のエレベータの新旧制御装置の交換方法によれば、新旧制御装置の交換作業を２段階に分け、第１段階では旧遮へい板と同様の働きをするアタッチメント用遮へい板が取付けられているモダニゼーション用遮へい板を使用して、旧制御方式の着床用旧遮へい板と交換するので、この第１段階の作業の後にはエレベータを旧制御方式で継続して運転することができ、この後に作業を中断しても利用者に不便をかけることがなく、できるだけ短期間ですべての作業を完了しなければならないという従来の日程管理に対して交換工事の日程に自由度を持たせることができる。
【００２１】
請求項２の発明のモダニゼーション用遮へい板によれば、旧制御方式で使用されていた着床検出用旧遮へい板を取付けアームから取外し、代わりに本発明のモダニゼーション用遮へい板を同じ取付けアームに取付けることにより、これに脱着可能に取付けられているアタッチメント用遮へい板を旧制御方式の着床検出用旧遮へい板として利用して、旧制御方式のエレベータ運転をその後も継続することができることになり、請求項１の発明の２段階に分けたエレベータの新旧制御装置の交換作業を実現することができる。
【図面の簡単な説明】
【図１】本発明のエレベータの新旧制御装置の交換方法に採用したモダニゼーション用遮へい板の取付け状態の斜視図。
【図２】上記のモダニゼーション用遮へい板からアタッチメント用遮へい板を取外した状態を示す分解斜視図。
【図３】上記のエレベータの新旧制御装置の交換方法における新制御方式の着床検出装置のかごへの取付け状態を示す正面図。
【図４】従来の着床検出用旧遮へい板の取付け状態の斜視図。
【図５】従来の着床検出装置の取付け状態の正面図。
【図６】従来の着床検出用遮へい板の交換作業を示す説明図。
【符号の説明】
１  ガイドレール
２  取付け金具
３  取付けアーム
４１  新遮へい板
４２  補助ボルト・ナット
４３  アタッチメント用遮へい板
４００  モダニゼーション用遮へい板
５  固定用ボルト・ナット
６  かご
７０  着床検出装置
８０  取付け台
【図１】
0004097765.tif 000002
【図２】
0004097765.tif 000003
【図３】
0004097765.tif 000004
【図４】
0004097765.tif 000005
【図５】
0004097765.tif 000006
【図６】
0004097765.tif 000007